(57)【要約】【課題】床下が密閉構造の基礎断熱住宅において、基礎断熱住宅の床下の結露を防止する床下システムを提供することを目的とする。【解決手段】制御装置２４ｃは床下空気温度検知部２６が検知する温度の空気が床下基礎温度検知部２５が検知する温度に冷却された場合に結露が発生する床下空気の相対湿度を演算し、この演算湿度を基準として床下相対湿度検知部２２が検知する湿度が上位のときに除湿機２１を運転して、床下の結露を防止できる床下システムを提供する。【選択図】図９
2007224642.tif 000002
【特許請求の範囲】
【請求項１】
外周を断熱した建物基礎部と、前記建物基礎部と床とで構成される密閉状態の床下空間内の空気の除湿を行う除湿機と、前記床下空間内の空気の相対湿度を検知する湿度センサおよび前記湿度センサの検知する湿度が所定値以上の時に前記除湿機を駆動する制御装置とを備えた床下システム。
【請求項２】
制御装置はカレンダー機能を備え、所定値が季節もしくは歴月に応じて設定される請求項１記載の床下システム。
【請求項３】
制御装置は地域設定スイッチを備え所定値が前記地域設定スイッチの設定に応じて設定される請求項２記載の床下システム。
【請求項４】
建物基礎部の温度を検知する温度センサを備え、制御装置は前記温度センサの検知する前記建物基礎部の温度に応じて所定値が設定される請求項１〜２のいずれか１項記載の床下システム。
【請求項５】
建物基礎部の温度を検知する温度センサと床下空間内の温度を検知する温度センサとを備え、制御装置は前記床下空間内の空気が前記建物基礎部の温度に冷却されたときに結露が発生する前記床下空間内の空気の相対湿度を演算し、前記演算結果を所定値とした請求項１記載の床下システム。
【請求項６】
除湿機が床下空間内に設置された請求項１〜５のいずれか１項記載の床下システム。
【請求項７】
除湿機が居住空間内に設置され、前記除湿機の吸気口もしくは排気口は通気管で床下空間と連結された請求項１〜５のいずれか１項記載の床下システム。
【発明の詳細な説明】
【技術分野】
【０００１】
本発明は、基礎断熱された住宅の床下に使用して、床下の結露を防止する床下システムに関する。
【背景技術】
【０００２】
従来、一般的な戸建て住宅の床下の結露を防止するものとしては、床下換気扇を設置することが行われている。
【０００３】
これは、床下の布基礎部の要所に設けられた換気口の一部から日中の暖かい外気を取り込んで他方の換気口から排出するものであるが、降雨時や梅雨時にこの換気を行うと湿った外気を取り込んでしまうおそれがある。
【０００４】
そこで、これらのことを避けるために例えば特許文献１および２に示す床下除湿装置が知られている。
【０００５】
特許文献１に示すものは、床下の換気口に設けた除湿手段と換気手段を有する床下除湿装置の運転モード（除湿、換気、停止）を外気温検知手段と外気相対湿度検知手段の検知する外気の温度あるいは相対湿度により使い分けるようにしたものである。
【０００６】
例えば、気温の高い夏期の外気の相対湿度が７０％以上の時は除湿運転、７０％以下のときは換気運転とするものである。
【０００７】
この特許文献１に対して、室内の冷房が強い場合は、相対湿度が７０％以下で換気運転したときには結露が発生することがあるとして、特許文献２に示す換気装置が提案されている。
【０００８】
以下、特許文献２について、図１１を用いて説明する。
【０００９】
外気温度検知部１０１と外気相対湿度検知部１０２および床下温度検知部１０３を接続した演算部１０４が制御部１０５を介して換気部１０６を制御する構成としたものである。
【００１０】
なお、外気温度検知部１０１と外気相対湿度検知部１０２に替えて外気絶対湿度検知部１０７を用いてもよいとしている。
【００１１】
以上の構成で、演算部１０４は外気温度検知部１０１と外気相対湿度検知部１０２から外気の絶対湿度を演算し、次いでこの求めた絶対湿度から外気の露点温度を求める。
【００１２】
次に求めた露点温度と床下温度検知部１０３が検知する床下温度を対照し、露点温度が床下温度より高い場合には演算部１０４が制御部１０５を介して換気部１０６を駆動して換気を行い、逆に低い場合には換気部１０６を停止するようにして結露が発生しないようにしている。
【特許文献１】特開平９−２８０６００号公報
【特許文献２】特開２００１−２１１９７号公報
【発明の開示】
【発明が解決しようとする課題】
【００１３】
近年、住宅の基礎部の外気と接する部分を断熱した、いわゆる基礎断熱住宅が普及してきている。この住宅は、地熱を利用することから冬は暖かく夏は涼しい住宅として、また、断熱しているため床下の結露が発生しない住宅として当初は北海道地方で普及した。
【００１４】
最近では北海道地方以外にも採用され始めてきている。
【００１５】
しかしながら、北海道地方は湿度が低いのに比べ本土では湿度が高いため、本土において床下の結露の発生がたびたび報告されている。
【００１６】
特に夏期においては、外気温度が３０℃を越す高い温度であっても、基礎部の外周が断熱されているために、基礎部の温度が地熱の影響を受けて２３℃程度の基礎断熱をしていない通常の住宅に比べて低い温度であることから結露が発生したものとおもわれる。
【００１７】
床下での結露の発生は、カビが発生し、異臭を放つとともにアレルギー疾患の原因ともなり、また、木質の土台の腐朽を進行させるので床下の結露の防止が要求されている。
【００１８】
ところが、基礎断熱住宅では床下が密閉構造であるため前述のような換気方法を採用することが困難である。
【００１９】
本発明は、このような課題を解決するものであり、基礎断熱住宅における床下の結露を防止できる床下システムを提供することを目的としている。
【課題を解決するための手段】
【００２０】
本発明の床下システムは上記目的を達成するため、外周を断熱した建物基礎部と、前記建物基礎部と床とで構成される密閉状態の床下空間内の空気の除湿を行う除湿機と、前記床下空間内の空気の相対湿度を検知する湿度センサおよび前記湿度センサの検知する湿度が所定値以上の時に前記除湿機を駆動する制御装置とを備えたものである。
【００２１】
このことにより、外気湿度には無関係に床下の結露がない住宅を提供できる。
【００２２】
また、制御装置はカレンダー機能を備え季節に応じて湿度の所定値を変化させ除湿機の省エネルギー運転を行うようにしたものである。
【００２３】
また、制御装置に接続して建物基礎部の温度を検知する温度センサを備え、この温度センサの検知する温度に応じて湿度の所定値を変化させて省エネルギー運転を行うようにしたものである。
【００２４】
また、制御装置に接続して建物基礎部の温度を検知する温度センサと床下空間内の温度を検知する温度センサとを備え、制御装置は床下空間内の空気が建物基礎部の温度に冷却されたときに結露が発生する床下空間内の空気の相対湿度を演算し、この湿度を所定値として除湿機を運転することにより、省エネルギー運転を行うようにしたものである。
【発明の効果】
【００２５】
本発明によれば、建物の床下の結露のない基礎断熱住宅を提供できる。
【発明を実施するための最良の形態】
【００２６】
本発明の請求項１記載の床下システムは、外周を断熱した建物基礎部と、前記建物基礎部と床とで構成される密閉状態の床下空間内の空気の除湿を行う除湿機と、前記床下空間内の空気の相対湿度を検知する湿度センサおよび前記湿度センサの検知する湿度が所定値以上の時に前記除湿機を駆動する制御装置とを備えたことを特徴としている。
【００２７】
このことにより、外気湿度には無関係に床下の結露を防止した住宅が提供できる。
【００２８】
本発明の請求項２記載の床下システムは、制御装置はカレンダー機能を備え、所定値が季節もしくは歴月に応じて設定されることを特徴としている。
【００２９】
このことにより、床下の過度の乾燥を防止し無駄なエネルギーの消費を防止できる。
【００３０】
本発明の請求項３記載の床下システムは、制御装置は地域設定スイッチを備え所定値が前記地域設定スイッチの設定に応じて設定されることを特徴としている。
【００３１】
このことにより、地域に適した結露の防止ができる。
【００３２】
本発明の請求項４記載の床下システムは、建物基礎部の温度を検知する温度センサを備え、制御装置は前記温度センサの検知する前記建物基礎部の温度に応じて所定値が設定されることを特徴としている。
【００３３】
このことにより、地域設定スイッチで設定することなしに地域と季節に応じた結露防止ができる。
【００３４】
本発明の請求項５記載の床下システムは、建物基礎部の温度を検知する温度センサと床下空間内の温度を検知する温度センサとを備え、制御装置は前記床下空間内の空気が前記建物基礎部の温度に冷却されたときに結露が発生する前記床下空間内の空気の相対湿度を演算し、前記演算結果を所定値としたことを特徴としている。
【００３５】
このことにより、省エネルギー運転の結露防止ができる。
【００３６】
本発明の請求項６記載の床下システムは、除湿機が床下空間内に設置されたことを特徴としている。
【００３７】
このことにより、除湿機は小型化できる。
【００３８】
本発明の請求項７記載の床下システムは、除湿機が居住空間内に設置され、前記除湿機の吸気口もしくは排気口は通気管で床下空間と連結されたことを特徴としている。
【００３９】
このことにより、除湿機のメンテナンスが容易になる。
【００４０】
以下、本発明の実施の形態について図面を参照しながら説明する。
【００４１】
（実施の形態１）
図１は、基礎断熱住宅の床下の構造例を示す図である。
【００４２】
図において、地面１上にコンクリートのべた基礎２と布基礎３が施工され、この布基礎３上に土台４が固定され、この上に柱５が建てられる。また、土台４には要所に通気孔６ａ、６ｂを有する床６が設けられ、この床６は束石７上の床束８と大引９で支えられている。
【００４３】
布基礎３の側壁面には外断熱材１０と外装材１１が設けられ、べた基礎２の建物外周部分には床断熱材１２が設けられている。
【００４４】
外断熱材１０と床断熱材１２は３０〜５０ｍｍのポリスチレンフォーム等の断熱材が用いられ、外気からの熱の伝導を遮断する。
【００４５】
なお、結露１３については後述する。
【００４６】
このような構造にあっては、床下空間ａは外気とは完全に密閉された空間を構成し、居住空間ｂとは通気孔６ａ、６ｂとで僅かな空気の入出がある。
【００４７】
このような構造であるから夏は外気の熱気を遮断し、外気が３０℃を越す気温であっても、べた基礎２および布基礎３の温度は地面１の影響をうけて昼夜を問わず２３℃前後で安定している。
【００４８】
従って、居住空間ｂが３０℃程度に冷房された状態での床下空間ａの温度は、下層においては２３℃に近く上層にいくに従って居住空間ｂに近い温度である。
【００４９】
また、冬期は地面１の温度は１６℃前後で安定しており、このため外気が数℃であっても、べた基礎２および布基礎３の温度も１６℃で安定している。
【００５０】
同様に、居住空間ｂが２０℃程度に暖房された状態での床下空間ａの温度は、下層においては１６℃に近く上層にいくに従って居住空間ｂに近い温度である。
【００５１】
次に、床下の結露のメカニズムについて夏期の場合を例に図２を用いて説明する。
【００５２】
図２の横軸は室内温度を、縦軸は露点温度を示し、湿度をパラメータとした露点を示す図である。
【００５３】
室温３０℃で相対湿度６０％の空気の露点温度はＡ示のように２１℃であり、室温３０℃で相対７０％の空気の露点温度はＢ示のように２４℃であることを示している。
【００５４】
気温３５℃程度、相対湿度６０％程度が夏期の日中の最高気温及び湿度であるが、このような時、居住空間が３０℃に冷房されている場合を例に説明する。
【００５５】
通常、室内の湿度は６０％程度であり、この空気の露点はＡ示の２１℃であるから、この空気が前述の基礎部に触れても、基礎部の温度はＣ示のように２３℃でありことから結露は発生しない。ところが室内の相対湿度が何らかの原因で上昇しＤ示の６７％で露点に達し結露が発生する。
【００５６】
このように相対湿度が上昇する例としては次のような場合がある。
【００５７】
すなわち、居住者が冷房を切りにして、窓を閉め切って外出した場合がこれに相当する。
【００５８】
冷房が切れているので、室内は日光の直射や外気温の影響で温度上昇が起こる。このとき室内の相対湿度は一時的に低下する。すると壁や天井や床から湿気が放出され相対湿度が上昇する。すなわち絶対湿度が上昇する。
【００５９】
一方、床下空間の温度は地面で冷却されており、短時間には上昇せず約３０℃のままである。従って、室内と床下空間とに絶対湿度の差が発生し、室内の水蒸気が前述の通気孔６ａ、６ｂを通して床下空間に移動し、この結果床下空間の相対湿度が上昇する。
【００６０】
この相対湿度が上昇した床下空間の空気が温度の低い基礎部に触れてＤ示で説明した結露が発生する。
【００６１】
このように室内の湿度が上昇する他の例としては、冷房を切りにして洗濯物を室内に吊して外出した場合がある。
【００６２】
冬期の場合も同様の理由で結露が発生する場合がある（図示しない）。
【００６３】
通常、室内は２２℃程度に暖房されており相対湿度は３０〜４０％の低い状態であるが喉の弱い家人が居て加湿機を用いて室内を加湿した場合がこれに相当する。
【００６４】
すなわち、相対湿度が通常の４０％程度であれば結露は発生しないが、７０％になると結露が発生する。
【００６５】
以上説明したように、床下の結露は外気の条件よりむしろ室内の条件により発生する。
【００６６】
次に図３〜６を用いて、本発明の実施の形態１について説明する。
【００６７】
図３は構成を示す図である。
【００６８】
除湿機２１は、床下相対湿度センサ２２と地域設定スイッチ２３を接続した制御装置２４ａにより制御される構成である。
【００６９】
床下相対湿度センサ２２は床下空間の上部に取り付けられる。
【００７０】
制御装置２４ａは、ＣＰＵ３１とこれに接続したカレンダー３２とメモリ３３と前記除湿機２１を駆動制御するためのドライバー３４から構成され、ＣＰＵ３１には前記の床下相対湿度センサ２２と地域設定スイッチ２３とが接続されている。
【００７１】
メモリ３３には、後述する図３（ｃ）のような湿度の所定値のデータを内蔵している。
【００７２】
図４と図５は、除湿機の設置状態を示す図である。
【００７３】
図４において、除湿機２１は床６の下部に設置され、その排水管２１ａは布基礎３を貫通して屋外に排水できるよう設置される。
【００７４】
床下相対湿度センサ２２は、除湿機２１の吸い込み口に設置される。
【００７５】
除湿機２１が運転されると除湿された吹き出し流２１ｂが発生し、床下空間ａの空気を循環して除湿が行われる。
【００７６】
図５において、除湿機２１は居住空間ｂに設置され、その通気管２１ｃは床下空間ａに連結される。また除湿された水を排出する排水管２１ｂは屋外に排水できるよう設置される。
【００７７】
相対湿度センサ２２は床下空間ａの上部に配置され、除湿機２１に内蔵された制御装置２４ａ（図示せず）に接続される。
【００７８】
除湿機２１が運転されると除湿された吹き出し流２１ｄが発生し、帰還流２１ｅが床下空間ａから居住空間ｂに排出される。
【００７９】
ここで図４のように除湿機２１を床下空間ａ内に設けることは、床下空間ａ内の容積が小さいことから除湿の能力の小さい、小型の除湿機２１を用いることができる特徴がある。
【００８０】
また、図５のように除湿機２１を居住空間ｂに設置することは、床下の構造により床下空間ａに除湿機２１の設置が困難な場合に採用する。この方法は、除湿機２１のメンテナンスが容易になる特徴がある。
【００８１】
次に図３〜５を参照しながら、図６を用いて動作を説明する。
【００８２】
まず、Ｓ１１（ステップ１１）で制御装置２４ａは自己の保有するカレンダー３２を照合する。次にＳ１２で地域設定スイッチ２３の設定を読み、Ｓ１３でこれに相当する図３（ｃ）で示す所定湿度Ｓを選択する（例えば５５％）。
【００８３】
次にＳ１４で床下相対湿度Ｈを検知し、Ｓ１５において所定湿度Ｓと床下相対湿度Ｈとを比較する。ここで床下相対湿度Ｈが所定湿度Ｓより低ければ除湿機２１は運転されないが、逆に高ければＳ１６で制御装置２４ａは除湿機２１を運転する。
【００８４】
除湿機２１が運転されると床下相対湿度Ｈは低下する。
【００８５】
Ｓ１７で床下相対湿度Ｈが所定湿度Ｓよりαだけ低い値（例えば５０％）よりも低下すると、Ｓ１８において制御装置２４ａは除湿機２１の運転を停止させる。
【００８６】
このような動作を繰り返して床下は結露が発生しないように保たれる。
【００８７】
なお、図３（ｃ）は地域毎の各月の所定湿度Ｓを示す図であるが、所定湿度Ｓの値は、その地域のその月の最高気温の空気が、その地域の基礎断熱された住宅の基礎部の温度まで冷却された時に結露が発生する相対湿度から求めたものである。
【００８８】
実際には床下空間ａ内の温度は基礎部の温度が前述にように外気温が高くても２３℃程度の低い温度で安定していて、これに影響され、外気温にまで達することはないので、その点を考慮して所定湿度Ｓは設定される。
【００８９】
最高気温は気象庁の過去のデータに基づき、基礎部の温度は実験データにより設定されるものである。
【００９０】
もし、このように季節や地域にかかわらず固定の所定湿度Ｓで除湿機２１を運転制御すると所定値を低い値に設定しないと結露が生じるおそれがあるため、除湿機２１の無用の運転時間が増大し、エネルギーの無駄遣いととも使用者の経済負担が増大する。
【００９１】
この様に本発明の実施の形態１は、地域と季節に応じて除湿機を運転する基準となる床下空間ａの相対湿度Ｓを自動的に設定したもので、省エネルギーの床下システムを提供できるものである。
【００９２】
（実施の形態２）
図７は、本発明の実施の形態２の構成を示す図である。
【００９３】
図７（ａ）と図７（ｂ）に示す構成は、図３（ａ）と図３（ｂ）の構成で、地域設定スイッチ２３に替えて床下基礎部の温度を検知する床下基礎温度センサ２５を設けたものである。
【００９４】
従って、図３（ａ）および図３（ｂ）と同じ符号を付したものは説明を省略する。
【００９５】
図７（ｃ）は制御装置２４ｂのメモリ３３ｂに記憶されているデータの一部を示す。
【００９６】
床下基礎温度センサ２５は、最も温度が低いと思われる住宅の北、もしくは北西部の布基礎３もしくはべた基礎２に設けられて床下基礎部の温度を計測し、その結果は制御装置２４ｂに入力されている。
【００９７】
図７（ｃ）の制御装置２４ｂのメモリ３３ｂに記憶されているデータについて図２を用いて説明する。
【００９８】
図２において説明したように、室温３０℃で相対湿度６０％の空気の露点温度はＡ示のように２１℃であり、室温３０℃で相対７０％の空気の露点温度はＢ示のように２４℃であり、室温３０℃で相対６７％の空気の露点温度はＤ示のように２３℃である。
【００９９】
同様に、室温を３０℃で相対湿度６３％の場合の露点温度はＥ示のように２２℃である。
【０１００】
ここでいう室温は床下空間内の温度のことである。
【０１０１】
以上、当然のことながら、室温一定では、相対湿度Ｓが高くなるに従って露点温度は上昇する。
【０１０２】
ここで、図２の縦軸の露点温度は基礎部の温度と考えることができ、基礎部の温度が高いほど結露の発生する基礎部周辺の空気の相対湿度Ｓは高くなるので、床下空間ａ内の相対湿度Ｓを基礎部の温度に応じた所定値以下にすれば結露は発生しない。
【０１０３】
この基礎部の温度に応じた床下空間ａ内の相対湿度Ｓの所定値を記載したものが図７（ｃ）である。
【０１０４】
図７（ｃ）は８月のデータのみを示しているが、他の月のデータもメモリ３３ｂは保有している。
【０１０５】
図２から明らかなように、床下空間ａ内の温度により相対湿度の所定値が変わるので、実施に際しては実験的に求めた床下空間ａ内の温度を基準に相対湿度Ｓの所定値を設定する。
【０１０６】
次に図７を参照しながら図８を用いて動作を説明する。
【０１０７】
図８で、まずＳ２１において、制御装置２４ｂは自己の保有するカレンダー３２を照合する。次にＳ２２で建物基礎温度を検知し、Ｓ２３で、メモリ３３ｂにアクセスして図７（ｃ）で示す所定湿度Ｓを選択する（例えば８月の基礎部温度２３℃の６７％）。
【０１０８】
次にＳ２４で床下相対湿度Ｈを検知し、Ｓ２５において所定湿度Ｓと床下相対湿度Ｈとを比較する。ここで床下相対湿度Ｈが設定湿度Ｓより低ければ除湿装置２１は運転されないが、逆に高ければＳ２６で制御装置２４ｂは除湿機２１を運転する。
【０１０９】
除湿機２１が運転されると、床下相対湿度Ｈは低下する。
【０１１０】
Ｓ２７で相対湿度Ｈが設定湿度Ｓよりα（例えば５％）だけ低い値（６２％）よりも低下すると、Ｓ２８において制御装置２４ｂは除湿機２１の運転を停止させる。
【０１１１】
このような動作を繰り返して床下は結露が発生しないように保たれる。
【０１１２】
この様に本発明の実施の形態２は、季節と床下基礎部の温度に応じて除湿機２１を運転する基準となる床下空間ａ内の空気の相対湿度Ｓを自動的に設定したもので、手動の設定部が無く、省エネルギーの床下システムを提供できるものである。
【０１１３】
（実施の形態３）
図９は本発明の実施の形態３の構成を示す図である。
【０１１４】
図９（ａ）および図９（ｂ）に示す構成は、実施の形態２で説明した図７（ａ）および図７（ｂ）に示す構成のものに、床下空間温度センサ２６を付加したものである。また、制御装置２４ｃはカレンダーを取り除いている。
【０１１５】
従って、図７（ａ）および図７（ｂ）と同じ符号を付したものは説明を省略する。
【０１１６】
床下空間温度センサ２６は、床下近くに設置され、制御装置２４ｃに接続される。
【０１１７】
メモリ３３ｃは、温度と相対湿度から絶対湿度を求めるためのデータおよび絶対湿度から露点を求めるためのデータ、いわゆる空気線図データが収納されている。
【０１１８】
この図９を参照しながら、図１０を用いて動作を説明する。
【０１１９】
図１０で、まずＳ３１において、制御装置２４ｃは床下空気温度Ｔａを計測する。
【０１２０】
次にＳ３２で建物基礎温度Ｔｋを検知する。
【０１２１】
次にＳ３３で、メモリ３３ｃにアクセスして、床下空気温度Ｔａの空気が温度Ｔｋの基礎部（べた基礎２および布基礎３）に触れたときに結露するおそれがある床下空気の相対湿度Ｈｓを演算する。
【０１２２】
次にＳ３４で床下空気の相対湿度Ｈｕを計測する。次にＳ３５で前記Ｈｕを前記Ｈｓと比較する。
【０１２３】
このときＨｓ−αとしているのはＳ３２での床下基礎温度Ｔｋの計測の部位バラツキを吸収するための余裕を持たせるためである。
【０１２４】
ここで、Ｈｕ＞Ｈｓ−αでなければ除湿機２１は運転されないが、ＹＥＳであればＳ３６で制御装置２４ｃは除湿機２１を運転する。
【０１２５】
除湿機２１が運転されると、床下空間の相対湿度Ｈは低下する。
【０１２６】
Ｓ３７でＨｕがＨｓ−α−β（βは例えば５％）よりも低下すると制御装置２４ｃは除湿機２１の運転を停止させる。
【０１２７】
このような動作を繰り返して床下は結露が発生しないように保たれる。
【０１２８】
この様に本発明の実施の形態２は、床下基礎部の温度を検知する温度センサと床下空間内の温度を検知する温度センサとを備え、制御装置２４ｃは前記床下空間ａ内の空気が前記床下基礎部の温度に冷却されたときに結露が発生する床下空間ａ内の空気の相対湿度を演算し、この演算した湿度以下になるよう除湿機２１の運転を制御するようにしたものある。
【０１２９】
このため、地域や季節に関係なく最適の除湿機運転がおこなわれ、より省エネルギーの床下システムを提供できるものである。
【産業上の利用可能性】
【０１３０】
本発明の床下システムは外周を断熱した建物基礎部と、前記建物基礎部と床とで構成される密閉状態の床下空間内の空気の除湿を行う除湿機と床下空間内の相対湿度を検知する湿度センサとこの湿度センサの検知する湿度によって除湿機を制御する制御装置とより構成したものであり、基礎断熱住宅のみならず、一般の住宅のほか、高気密・高断熱住宅の用途にも適用できる。
【図面の簡単な説明】
【０１３１】
【図１】本発明の実施の形態１の床下システムの基礎断熱住宅の床下の構造を示す図
【図２】同床下システムにおける結露を示すグラフ
【図３】同床下システムの構成を示す図
【図４】同床下システムの除湿機の設置状態を示す図
【図５】同床下システムの除湿機の別形態での設置状態を示す図
【図６】同床下システムの動作を示すフローチャート
【図７】本発明の実施の形態２の床下システムの構成を示す図
【図８】同床下システムの動作を示すフローチャート
【図９】本発明の実施の形態３の床下システムの構成を示す図
【図１０】同床下システムの動作を示すフローチャート
【図１１】従来の床下システムの構成を示す図
【符号の説明】
【０１３２】
１３    結露
２１    除湿機
２１ｃ  通気管
２２    床下相対湿度センサ
２３    地域設定スイッチ
２４ａ  制御装置
２４ｂ  制御装置
２４ｃ  制御装置
２５    床下基礎温度センサ
２６    床下空間温度センサ
３２    カレンダー
【図１】
2007224642.tif 000003
【図２】
2007224642.tif 000004
【図３】
2007224642.tif 000005
【図４】
2007224642.tif 000006
【図５】
2007224642.tif 000007
【図６】
2007224642.tif 000008
【図７】
2007224642.tif 000009
【図８】
2007224642.tif 000010
【図９】
2007224642.tif 000011
【図１０】
2007224642.tif 000012
【図１１】
2007224642.tif 000013